(57)【要約】【課題】上記特許文献１以外の手法により、釣糸の噛み込みを防止できる釣糸導入部付近の構造を提供する。【解決手段】繊維強化樹脂製竿管１０に長孔を設け、該長孔に配設して、釣糸を竿管内に導入する導入孔ＧＨを有する長孔用ガイド部材Ｇ２を配設しており、該長孔用ガイド部材の後側であって、竿管表面から離れた位置に硬質のガイド部材Ｇ１を保持した枠体１２が、該硬質ガイド部材の保持部の前側部から前方に延伸すると共に、前記長孔用ガイド部材に近づく方向の傾斜部１２Ｋを有し、該傾斜部から更に前記導入孔に対応した第１の孔Ｈ１を形成した延伸部１２Ｅを有し、前記傾斜部には前記第１孔とは離隔し、前記硬質ガイド部材を通過した釣糸を挿通させて前記導入孔に導く第２の孔Ｈ２を設けており、該第２の孔の前端位置ＰＨ２では、該前端の裏面位置とその位置に対面する竿管表面又は長孔用ガイド部材との間の隙間寸法が、釣糸が噛み込まないよう釣糸直径よりも大きいよう構成する。【選択図】        図３
2006034197.tif 000002
【特許請求の範囲】
【請求項１】
繊維強化樹脂製竿管に長孔を設け、該長孔に配設して、釣糸を竿管内に導入する導入孔を有する長孔用ガイド部材を配設しており、
該長孔用ガイド部材の後側であって、竿管表面から離れた位置に硬質のガイド部材を保持した枠体が、該硬質ガイド部材の保持部の前側部から前方に延伸すると共に、前記長孔用ガイド部材に近づく方向の傾斜部を有し、該傾斜部から更に前記導入孔に対応した第１の孔を形成した延伸部を有し、
前記傾斜部には前記第１孔とは離隔し、前記硬質ガイド部材を通過した釣糸を挿通させて前記導入孔に導く第２の孔を設けており、
該第２の孔の前端位置では、該前端の裏面位置とその位置に対面する竿管表面又は長孔用ガイド部材との間の隙間寸法が、釣糸が噛み込まないよう釣糸直径よりも大きい
ことを特徴とする中通し釣竿。
【請求項２】
前記第１孔と第２孔との間の枠体領域は、枠体の幅方向中央部がその幅方向端部辺りよりも竿管表面側に窪んでいる請求項１記載の中通し釣竿。
【請求項３】
前記延伸部が前記長孔用ガイド部材を押圧するか、又は僅かな隙間を介して上に覆い被さっている請求項１または２記載の中通し釣竿。
【請求項４】
前記導入孔の前端内側位置と硬質ガイド部材の竿管から最も遠い縁部とを直線で結んだ該直線ラインが、前記第２孔を通過する位置における左右方向孔幅が該第２孔の中の左右方向最大孔幅か又はこれに近い大きさである請求項１〜３の何れか１記載の中通し釣竿。
【発明の詳細な説明】
【技術分野】
【０００１】
本発明は、中通し釣竿の釣糸導入部付近の構造に関する。
【背景技術】
【０００２】
中通し釣竿では、釣糸を外部から竿管内部に導入する必要がある。この釣糸を導入する形態として、リールから釣竿に設けた導入孔に直接に導入するのでは、釣糸が導入孔近くの竿管表面に接触して糸抵抗が増大する。そこで、導入孔の後側であって、竿管表面から離れた位置に硬質のガイド部材を保持する形態が採られることが多い。その一つの形態が、本出願人による下記特許文献１に開示されている。このように硬質ガイド部材を保持している枠体にも長孔を設け、リールから引き出された釣糸を、硬質ガイド部材、枠体の長孔、そして導入孔という順に通して竿管内部に導入させる。
【特許文献１】特開平１１−２６６７４８号公報
【発明の開示】
【発明が解決しようとする課題】
【０００３】
上記枠体を採用した場合、仕掛けの投擲時に、リールから引き出された釣糸が釣糸導入部付近で弛み、弛んだ釣糸が枠体と竿管や長孔用ガイド部材との間に噛み込み挟持されることがある。これを防止するために、上記特許文献１では挟持される虞のある部分に充填部を設けることを開示している。こうした充填部によって隙間を充填する構造以外にも釣糸の噛み込みを防止する構造が考えられる。
従って解決しようとする課題は、上記特許文献１以外の手法により、釣糸の噛み込みを防止できる釣糸導入部付近の構造を提供することである。
【課題を解決するための手段】
【０００４】
請求項１に係る発明では、繊維強化樹脂製竿管に長孔を設け、該長孔に配設して、釣糸を竿管内に導入する導入孔を有する長孔用ガイド部材を配設しており、該長孔用ガイド部材の後側であって、竿管表面から離れた位置に硬質のガイド部材を保持した枠体が、該硬質ガイド部材の保持部の前側部から前方に延伸すると共に、前記長孔用ガイド部材に近づく方向の傾斜部を有し、該傾斜部から更に前記導入孔に対応した第１の孔を形成した延伸部を有し、前記傾斜部には前記第１孔とは離隔し、前記硬質ガイド部材を通過した釣糸を挿通させて前記導入孔に導く第２の孔を設けており、該第２の孔の前端位置では、該前端の裏面位置とその位置に対面する竿管表面又は長孔用ガイド部材との間の隙間寸法が、釣糸が噛み込まないよう釣糸直径よりも大きいことを特徴とする中通し釣竿を提供する。
【０００５】
請求項２では、前記第１孔と第２孔との間の枠体領域は、枠体の幅方向中央部がその幅方向端部辺りよりも竿管表面側に窪んでいる請求項１記載の中通し釣竿を提供する。
請求項３では、前記延伸部が前記長孔用ガイド部材を押圧するか、又は僅かな隙間を介して上に覆い被さっている請求項１または２記載の中通し釣竿を提供する。僅かな隙間とは、０．５ｍｍ以下である。
請求項４では、前記導入孔の前端内側位置と硬質ガイド部材の竿管から最も遠い縁部とを直線で結んだ該直線ラインが、前記第２孔を通過する位置における左右方向孔幅が該第２孔の中の左右方向最大孔幅か又はこれに近い大きさである請求項１〜３の何れか１記載の中通し釣竿を提供する。硬質ガイド部材の竿管から最も遠い縁部を要件としたのは、スピニングリールを使用し、導入孔を下側にして投擲を行う場合を考えてのことである。下側にする場合は、投擲時の釣糸は、平均的な意味において上記直線ラインに沿う可能性が高い。従って、導入孔を上側にして使用する場合は下記作用効果は期待し難い。
【発明の効果】
【０００６】
仕掛けの投入時等において、枠体領域において釣糸が弛んだ場合、その弛んだ釣糸は傾斜部の前端付近で噛み込む可能性があるが、本発明の請求項１では、硬質ガイド部材を通過した釣糸を挿通させて前記導入孔に導く第２の孔は、導入孔に対応した第１の孔とは分離しており、第２の孔の前端位置では、該前端の裏面位置とその位置に対面する竿管表面又は長孔用ガイド部材との間の隙間寸法が、釣糸が噛み込まないよう釣糸直径よりも大きいため、噛み込みが防止される。
【０００７】
請求項２では、釣糸は第２孔と第１孔とに亘って通過するため、その間の枠体領域表面に接触する虞がある。そこで、この領域の幅方向中央部を端部辺りよりも低く窪ませ、釣糸との接触を防止し、釣糸抵抗を小さくできる。
請求項３では、延伸部が長孔用ガイド部材を押圧しているか、僅かな隙間で覆い被さっているため、長孔用ガイド部材を押える部材を別途設ける必要が無い。
【０００８】
請求項４では、投擲時等において、釣糸導入部付近で釣糸が弛むことが多いが、硬質ガイド部材を通過した後弛んで左右に広がろうとして第２孔を通過する場合に、孔壁に接触すると釣糸抵抗が大きくなってしまうが、最も接触する可能性の高い位置と考えられる位置、即ち、導入孔の前端内側位置と硬質ガイド部材の竿管から最も遠い縁部とを直線で結んだ該直線ラインが第２孔を通過する位置、の左右方向孔幅が最大かそれに近いため、釣糸との接触を最大限に防止でき、投擲時等の釣糸抵抗を低減できる。
【発明を実施するための最良の形態】
【０００９】
以下、本発明を図面を用いて詳細に説明する。図１は、本発明に係る中通し釣竿の要部側面図、図２は図１に対応する部分の縦断面図、図３は図１の平面図、図４は図３の矢視線Ｄ−Ｄの拡大横断面図、図５は図３の矢視線Ｅ−Ｅの拡大横断面図である。エポキシ樹脂等の合成樹脂をマトリックスとし、炭素繊維等の強化繊維で強化した繊維強化樹脂製竿管１０の適宜位置に前後に長い長孔を設け、この孔縁を覆うように、セラミックス製の硬質な長孔用ガイド部材Ｇ２を配設している。本願の説明において、上という表現は、図面における上を言っており、実際の釣りにおける上とは異なることがある。スピニングリールを用い、ガイド部材Ｇ２を下側にして釣りを行う場合では、下を意味している。
【００１０】
この長孔用ガイド部材も長孔ＧＨを有し、この長孔を介して竿管内部に釣糸Ｌを導入する。この導入長孔（又は長孔用ガイド部材）の適宜量後側であって、竿管表面から適宜高さ離れた位置に、セラミックス製の硬質なガイド部材Ｇ１を配設する。そのため、金属板製等の枠体１２によって保持している。このガイド部材の保持部の前側部から前方に延伸し、長孔用ガイド部材に近づく方向の傾斜部１２Ｋを有し、該傾斜部の先部は前方に延伸した延伸部１２Ｅを有している。この延伸部には、前記導入長孔に対応し、より大き目の長孔状の第１孔Ｈ１を形成し、前記導入長孔ＧＨの上方は開放されているが、長孔用ガイド部材Ｇ２の一部（左右上面部）を覆う寸法形状に形成している。また、前記傾斜部には、枠体領域Ｚを介して第１孔とは分離した後方位置に長孔状の第２孔Ｈ２を形成している。
【００１１】
延伸部１２Ｅの先部は足部１２Ｌ１であり、巻回糸等によって竿管に対して固定される部位である。一方、枠体１２の元側部（後方部）は、ガイド部材Ｇ１を保持した保持部から後方に向かって延伸すると共に、竿管表面に近づく方向に傾斜した傾斜部１２Ｋ’となっており、その先部は足部１２Ｌ２であり、ここが巻回糸等によって竿管に対して固定される。
【００１２】
図示しないリールからの釣糸Ｌは、ガイド部材Ｇ１の孔と第２孔Ｈ２とを通り、一旦、枠体１２の外側（側面視で竿管から離れる上側）に出て、第１孔Ｈ１を通り、導入長孔ＧＨを通って竿管内部に導入される。この経路を通る釣糸は、仕掛けの投擲等の投擲時には、竿管内部の釣糸と外部の釣糸との速度の相違から、この枠体辺り（釣糸導入部近く）において弛むことが多い。即ち、ガイド部材Ｇ１を通った後において釣糸が左右側方に弛むことがあり、弛んだ釣糸が、枠体１２と竿管１０の表面や長孔用ガイド部材Ｇ２との間に噛み込むことが生じ易い。
【００１３】
しかし、本発明では、第２孔Ｈ２の前端ＰＨ２の裏面位置と、該位置に対面する竿管表面との間の隙間寸法δは、釣糸Ｌの直径よりも充分大きく（例えば４倍以上等の数倍以上）、このため噛み込まない。釣糸が噛み込むためには、枠体１２の下側であって第２孔前端ＰＨ２よりも前方（枠体領域Ｚの前側位置）に潜り込まなければならないが、枠体領域Ｚの存在（枠体領域の後方側縁の存在）によって釣糸は第２孔前端ＰＨ２を形成する枠体領域Ｚの縁に阻止され、潜り込むことが困難となる。
【００１４】
第１孔と第２孔との間領域である枠体領域Ｚは、既述の通り、弛んだ釣糸が噛み込むことを防止するために設けているが、図２を見れば明らかであるが、この領域Ｚの上方には釣糸Ｌが通過する。この釣糸に張力が作用している場合には、領域Ｚの表面に接触しない様に設計するが、投擲時等、張りが弛むこともあり、この場合、特に上下の振れで領域Ｚと釣糸との接触が生じ、これにより釣糸抵抗が増大する。これを防止するために、図４に図示するように、枠体領域Ｚの左右方向の中央部を両端部近くに比べて低く、即ち、竿管表面に近づくように窪ませている。更には、もし釣糸が接触しても滑りをよくするという観点から、枠体領域Ｚの表面をテフロン（登録商標）コーティング、セラミックスコーティング、潤滑メッキ等の低摩擦及び／又は撥水性の高い、滑り易い材質で構成したり、鏡面状に仕上げておくとよい。また、セラミックスを枠体領域Ｚ表面に貼り付けてもよい。仮に、釣糸が窪ませた部位に接触した場合であって、釣糸の振れが左右方向の場合は釣糸を領域Ｚの中心寄りに収束させる。
【００１５】
また、この例では記述の様に、延伸部１２Ｅは長孔用ガイド部材Ｇ２の左右上面部を覆う寸法形状に形成しており、長孔用ガイド部材Ｇ２表面との隙間は、竿管の長孔の周囲壁に接着固定した該ガイド部材Ｇ２が、仮りに接着がとれても、外れてガイドの用を成さないということのない様に０．２ｍｍ程度としている。また、好ましくは上側から押圧させる。こうして別部品により部材Ｇ２を押える必要がない。
【００１６】
図２は、釣糸Ｌが硬質ガイド部材Ｇ１の孔の竿管から最も遠い側を通り、長孔用ガイド部材Ｇ２の前端内側位置において接触している張力の作用した状態を図示している。この釣糸が枠体の傾斜部１２Ｋと交差する位置Ｐにおける第２孔Ｈ２の左右方向幅寸法は、該第２孔での最大幅ＭＤよりも幾分小さいが、第２孔の最大幅に近い大きさである。図２における釣糸Ｌは、導入孔ＧＨを下側にした場合の投擲時の釣糸の平均的な位置を示している。投擲時では釣糸はこの第２孔を通過する際に（上下や）左右に振れることが多く、第２孔の周縁に接触し易い。接触すれば釣糸抵抗が増大するが、接触するとすればこの位置Ｐで接触する可能性が最も高いと考えられる。従って、この位置Ｐでの第２孔の幅が大きいことは、その接触を生じさせ難いといえ、延いては投擲時の釣糸抵抗を低減できる。
【００１７】
図３に現われているように、第２孔は、楕円形状（又は卵形状）をなしており、ＭＤで示す最大幅位置よりも前方は漸次縮径している。投擲時には、基本的には位置Ｐの所が最も接触可能性が高いが、釣糸Ｌは、硬質ガイド部材Ｇ１の孔の範囲で通過位置が変動でき、風等種々の要因で振れたりもする。従って、仮に釣糸が幅ＭＤの位置以降で種々に振れ、第２孔Ｈ２の縁に当る場合も、先部程幅狭であるため、導入孔ＧＨに入る前に、左右方向の振れを抑制できる。
【００１８】
以上説明した長孔用ガイド部材は硬質部材で形成し、これで竿管に形成した長孔の縁を完全に覆っているが、例えば、硬質部材では上記長孔用ガイド部材Ｇ２の前端部分と後端部分を形成し、左右側部は、必ずしも硬質ではない合成樹脂等によって形成するというように、幾つかに分割して形成してもよい。
【産業上の利用可能性】
【００１９】
本発明は、イカ釣り用のエギロッド等の中通し釣竿に利用できる。
【図面の簡単な説明】
【００２０】
【図１】図１は本発明に係る中通し釣竿の要部側面図である。
【図２】図２は図１に対応する部分の縦断面図である。
【図３】図３は図１の平面図である。
【図４】図４は図３の矢視線Ｄ−Ｄの拡大横断面図である。
【図５】図５は図３の矢視線Ｅ−Ｅの拡大横断面図である。
【符号の説明】
【００２１】
１０                      竿管
１２                      枠体
１２Ｅ                    延伸部
１２Ｋ                    傾斜部
Ｇ１                      硬質ガイド部材
Ｇ２                      長孔用ガイド部材
ＧＨ                      導入孔
Ｈ１                      第１孔
Ｈ２                      第２孔
Ｚ                        枠体領域
【図１】
2006034197.tif 000003
【図２】
2006034197.tif 000004
【図３】
2006034197.tif 000005
【図４】
2006034197.tif 000006
【図５】
2006034197.tif 000007